(57)【要約】【課題】直管蛍光灯型ＬＥＤランプを乗りかご内の天井部に取付けた場合において、直管蛍光灯型ＬＥＤランプから照射された光を照明板の方向に確実に向けることができるようにする。【解決手段】エレベータの乗りかご内天井照明装置において、乗りかご内の天井部３に取付けられて水平方向で対向する一対の天井側ブラケット８と、一方の面に複数のＬＥＤ１１が配列された細長板状の基板１２を円筒状の筒体１０内に収容した直管蛍光灯型ＬＥＤランプ７の端部を保持するソケット１７が取付けられた一対のソケット側ブラケット９と、を有し、ソケット側ブラケット９は天井側ブラケット８に対し、ソケット１７間に保持された直管蛍光灯型ＬＥＤランプ７がその中心線回りに回転可能及び任意の回転位置で固定可能に連結されている。【選択図】図３
2012131594.tif 000002
【特許請求の範囲】
【請求項１】
乗りかご内の天井部に取付けられて水平方向で対向する一対の天井側ブラケットと、
一方の面に複数のＬＥＤが配列された細長板状の基板を円筒状の筒体内に収容した直管蛍光灯型ＬＥＤランプの端部を保持するソケットが取付けられた一対のソケット側ブラケットと、
を有し、
前記ソケット側ブラケットは前記天井側ブラケットに対し、前記ソケット間に保持された前記直管蛍光灯型ＬＥＤランプがその中心線回りに回転可能及び任意の回転位置で固定可能に連結されていることを特徴とするエレベータの乗りかご内天井照明装置。
【請求項２】
前記ソケット間に保持された前記直管蛍光灯型ＬＥＤランプをその中心線回りに回転させ及び任意の回転位置で固定する機構として、
前記ソケット側ブラケットに固定されて前記ソケット間に保持された前記直管蛍光灯型ＬＥＤランプの中心線の延長線上に位置する保持軸と、
前記天井側ブラケットに形成されて前記保持軸がその中心線回りに回転可能に挿入される保持穴と、
前記保持穴に挿入された前記保持軸に取付けられることにより前記ソケット側ブラケットを前記天井側ブラケットに対して固定する締結体と、
を備えることを特徴とする請求項１記載のエレベータの乗りかご内天井照明装置。
【請求項３】
前記ソケット間に保持された前記直管蛍光灯型ＬＥＤランプをその中心線回りに回転させ及び任意の回転位置で固定する機構として、
前記ソケット側ブラケットに固定されて前記ソケット間に保持された前記直管蛍光灯型ＬＥＤランプの中心線の延長線上に位置する保持軸と、
少なくともいずれか一方の前記ソケット側ブラケットにおける前記保持軸の中心線上から所定寸法離間した位置に形成された第１固定穴と、
前記天井側ブラケットに形成されて前記保持軸がその中心線回りに回転可能に挿入される保持穴と、
少なくともいずれか一方の前記天井側ブラケットにおける前記保持穴の中心から所定寸法離間した1つの円周上に位置して形成され、前記保持穴に挿入された前記保持軸を中心
として前記ソケット側ブラケットを回転させることにより前記第１固定穴と選択的に連通可能な複数の第２固定穴と、
連通されて位置する前記第１固定穴と前記第２固定穴とに挿入されることにより前記ソケット側ブラケットを前記天井側ブラケットに対して固定する締結体と、
を備えることを特徴とする請求項１記載のエレベータの乗りかご内天井照明装置。
【請求項４】
前記ソケット間に保持された前記直管蛍光灯型ＬＥＤランプをその中心線回りに回転させ及び任意の回転位置で固定する機構として、
前記ソケット側ブラケットに固定されて前記ソケット間に保持された前記直管蛍光灯型ＬＥＤランプの中心線の延長線上に位置する保持軸と、
いずれか一方の前記ソケット側ブラケットにおける前記保持軸の中心線上から所定寸法離間した位置に形成された突起と、
前記天井側ブラケットに形成されて前記保持軸がその中心線回りに回転可能に挿入される保持穴と、
いずれか一方の前記天井側ブラケットにおける前記保持穴の中心から所定寸法離間した1つの円周上に位置して形成され、前記保持穴に挿入された前記保持軸を中心として前記
ソケット側ブラケットを回転させることにより前記突起に選択的に対向して該突起が挿入可能な複数の固定穴と、
他方の前記ソケット側ブラケットと他方の前記天井側ブラケットとの間に設置され、前
記突起が前記固定穴に挿入される方向へ前記ソケット側ブラケットと前記直管蛍光灯型ＬＥＤランプとを付勢する付勢体と、
を備えることを特徴とする請求項１記載のエレベータの乗りかご内天井照明装置。
【請求項５】
前記ソケット間に保持された前記直管蛍光灯型ＬＥＤランプをその中心線回りに回転させ及び任意の回転位置で固定する機構として、
前記ソケット側ブラケットに固定されて前記ソケット間に保持された前記直管蛍光灯型ＬＥＤランプの中心線の延長線上に位置するネジ棒と、
前記天井側ブラケットに設けられて前記ネジ棒が螺合される雌ネジ部と、
前記雌ネジ部に螺合された前記ネジ棒に螺合されることにより前記ソケット側ブラケットを前記天井側ブラケットに対して固定する締結体と、
を備えることを特徴とする請求項１記載のエレベータの乗りかご内天井照明装置。
【請求項６】
少なくともいずれか一方の前記天井側ブラケットに設けられ、前記ソケット間に保持された前記直管蛍光灯型ＬＥＤランプが中心線回りに回転する方向へ前記ソケット側ブラケットを所定角度回転させた場合に、前記ソケット側ブラケットに当接して前記ソケット側ブラケットの回転を規制する回転規制突起を備えることを特徴とする請求項１ないし５のいずれか一項に記載のエレベータの乗りかご内天井照明装置。
【発明の詳細な説明】
【技術分野】
【０００１】
本発明の実施形態は、エレベータの乗りかご内天井照明装置に関する。
【背景技術】
【０００２】
エレベータの乗りかごには、乗りかご内を照明する乗りかご内天井照明装置が設けられている。このようなエレベータの乗りかご内天井照明装置は、下記特許文献１に記載されているように、乗りかご内の天井部に取付けられた直管型蛍光灯と、この直管型蛍光灯の下側に配置された透光性樹脂製の照明板とを備えている。
【０００３】
照明板は、様々な形状、構造のものが使用されており、例えば、蛍光灯の真下に配置された平板状のものや、隣合って平行に位置する蛍光灯の間に配置されて天井側に凸状に湾曲したものが存在する。
【０００４】
直管型蛍光灯からの光の照射方向は、直管型蛍光灯の径方向の全周に向けて均等である。このため、直管型蛍光灯の真下に平板状の照明板が配置されている場合でも、隣合って平行に位置する直管型蛍光灯の間に天井側に向けて凸状に湾曲した照明板が配置されている場合でも、直管型蛍光灯を天井部に取付ける場合の直管型蛍光灯の中心線回りの回転角度については何ら考慮する必要はない。
【先行技術文献】
【特許文献】
【０００５】
【特許文献１】特開２０１０−５８８８０号公報
【発明の概要】
【発明が解決しようとする課題】
【０００６】
近年、消費電力が少なく、長寿命であるＬＥＤランプが普及している。エレベータの乗りかご内天井照明装置においても、外観形状が直管型蛍光灯と同じであるＬＥＤランプ（直管蛍光灯型ＬＥＤランプ）を使用する場合がある。
【０００７】
直管蛍光灯型ＬＥＤランプは、一方の面に複数のＬＥＤが配列された基板を有し、この基板が直管型蛍光灯の外観と略同じ形状の円筒状の筒体内に収容されている。したがって、直管蛍光灯型ＬＥＤランプからの光の照射方向は、基板におけるＬＥＤが配列された面の方向のみとなる。このため、直管蛍光灯型ＬＥＤランプを乗りかごの天井部に取付ける場合には、直管蛍光灯型ＬＥＤランプから照射される光が照明板の方向を向くように、直管蛍光灯型ＬＥＤランプの中心線回りの回転角度を考慮する必要がある。
【０００８】
ところで、エレベータの乗りかごの形式は一定ではなく、乗りかごの横幅寸法が異なったり、乗りかごの天井部に取付けられている照明板の形状や設置位置が異なったりする。このため、形式の異なる乗りかご内の天井部に直管蛍光灯型ＬＥＤランプを取付ける場合に同一構造の取付部品を用いると、直管蛍光灯型ＬＥＤランプから照射された光が照明板の方向を向かない場合が発生する。したがって、乗りかごの形式が異なる場合でも、乗りかご内の天井部に取付けた直管蛍光灯型ＬＥＤランプからの光の照射方向を照明板の方向に向けるためには、直管蛍光灯型ＬＥＤランプを乗りかご内の天井部に取付けるための複数種類の取付部品を準備しておき、乗りかごの形式に応じた最適な取付部品を使用して直管蛍光灯型ＬＥＤランプを取付ける必要がある。
【０００９】
しかし、乗りかごの形式に応じて複数種類の取付部品を準備しておくことは、製造すべ
き取付部品の種類が増加し、エレベータ全体としての製造コストが上昇する。また、使用した取付部品が適正でなかった場合には、別の取付部品を用いて直管蛍光灯型ＬＥＤランプの取付けをやり直さなければならず、多大な手間と時間とがかかる。
【００１０】
本発明はこのような課題を解決するためになされたもので、その目的は、直管蛍光灯型ＬＥＤランプを乗りかご内の天井部に取付けた場合において、直管蛍光灯型ＬＥＤランプの中心線回りの回転角度を簡単に変えることができ、直管蛍光灯型ＬＥＤランプから照射された光を照明板の方向に確実に向けることができるエレベータのかご室天井照明装置を提供することである。
【課題を解決するための手段】
【００１１】
実施形態のエレベータの乗りかご内天井照明装置は、かご室の天井部に取付けられて水平方向で対向する一対の天井側ブラケットと、一方の面に複数のＬＥＤが配列された細長板状の基板を円筒状の筒体内に収容した直管蛍光灯型ＬＥＤランプの端部を保持するソケットが取付けられた一対のソケット側ブラケットと、を有し、ソケット側ブラケットは天井側ブラケットに対し、ソケット間に保持された直管蛍光灯型ＬＥＤランプがその中心線回りに回転可能及び任意の回転位置で固定可能に連結されている。
【図面の簡単な説明】
【００１２】
【図１】本発明の第１の実施形態における乗りかご内の直管蛍光灯型ＬＥＤランプの配置状態を示す縦断側面図である。
【図２】直管蛍光灯型ＬＥＤランプを破断して示す斜視図である。
【図３】直管蛍光灯型ＬＥＤランプの取付状態を示す正面図である。
【図４】その縦断側面図である。
【図５】（ａ）は天井側ブラケットを示す側面図、（ｂ）はその正面図である。
【図６】（ａ）はソケット側ブラケットを示す正面図、（ｂ）はその側面図である。
【図７】光の出射方向を斜め下向きとした直管蛍光灯型ＬＥＤランプの取付状態を示す縦断側面図である。
【図８】本発明の第２の実施形態における直管蛍光灯型ＬＥＤランプの取付状態を示す正面図である。
【図９】（ａ）は天井側ブラケットを示す側面図、（ｂ）はその正面図である。
【図１０】（ａ）はソケット側ブラケットを示す正面図、（ｂ）はその側面図である。
【図１１】本発明の第３の実施形態における直管蛍光灯型ＬＥＤランプの取付状態を示す正面図である。
【図１２】（ａ）は天井側ブラケットを示す側面図、（ｂ）はその正面図である。
【図１３】（ａ）はソケット側ブラケットを示す正面図、（ｂ）はその側面図である。
【図１４】本発明の第４の実施形態における直管蛍光灯型ＬＥＤランプの取付状態を示す正面図である。
【図１５】本発明の第５の実施形態における直管蛍光灯型ＬＥＤランプの取付状態を示す正面図である。
【図１６】その縦断側面図である。
【図１７】ソケット側ブラケットが天井側ブラケットに設けられて回転規制突起に当接して回転が規制された状態を示す縦断側面図である。
【発明を実施するための形態】
【００１３】
（第１の実施形態）
本発明の第１の実施形態を図１ないし図７に基づいて説明する。エレベータの乗りかご１は箱型に形成され、周囲の４面に側板２が設けられ、上部には天井部である天板３が設
けられ、下部にはかご床（図示せず）が設けられている。
【００１４】
天板３には、図１に示すように照明ケース４が固定され、照明ケース４の中央部には開口部５が形成され、この開口部５には天板３側へ向けて凸状に湾曲した照明板６が取付けられている。照明ケース４は遮光性の樹脂により形成され、照明板６は透光性の樹脂により形成されている。
【００１５】
照明ケース４の内側には、直管蛍光灯型ＬＥＤランプ７、及び、この直管蛍光灯型ＬＥＤランプ７を保持するための天井側ブラケット８とソケット側ブラケット９とが設置されている。
【００１６】
直管蛍光灯型ＬＥＤランプ７は、図２に示すように、長尺円筒状の筒体１０と、一方の面に複数のＬＥＤ１１が配列されて筒体１０内に収容された細長板状の基板１２と、筒体１０の両端に固定されたキャップ１３と、キャップ１３から筒体１０の外側へ向けて突出した端子１４とを備えている。直管蛍光灯型ＬＥＤランプ７の端部は、端子１４を後述するソケット１７の端子穴（図示せず）に差し込んだ状態で一対のソケット１７間に保持されている。
【００１７】
天井側ブラケット８は図３に示すように、１つの直管蛍光灯型ＬＥＤランプ７を保持するために水平方向で対向する一対が１組となって設置されている。この実施形態の乗りかご１では、照明板６を挟んだ位置に２つの直管蛍光灯型ＬＥＤランプ７が設置されており、天井側ブラケット８は照明板６を挟んだ位置に一対ずつ設置されている。天井側ブラケット８は図５に示すように、一枚の板部材をＬ字型に折り曲げて形成されており、一方の折曲片８ａが天板３にネジ止めされ、下向きに延出する他方の折曲片８ｂには保持穴１５が形成されている。
【００１８】
ソケット側ブラケット９は図３に示すように、天井側ブラケット８に１つずつ連結されている。ソケット側ブラケット９は図６に示すように、一枚の板部材をＬ字型に折り曲げて形成されており、一方の折曲片９ｂには保持軸であるスタッド１６が固定され、他方の折曲片９ａにはソケット１７がネジ止めされている。スタッド１６は、ソケット１７間に保持された直管蛍光灯型ＬＥＤランプ７の中心線の延長線上に位置して設けられ、天井側ブラケット８の保持穴１５に中心線回りに回転可能に挿入されている。ソケット側ブラケット９の天井側ブラケット８への連結は、スタッド１６を保持穴１５に挿入することにより行われている。
【００１９】
保持穴１５に挿入されたスタッド１６には、締結体である蝶ナット１８が螺合されている。
【００２０】
本実施形態では、スタッド１６と保持穴１５と蝶ナット１８とが、ソケット１７間に保持された直管蛍光灯型ＬＥＤランプ７をその中心線回りに回転させ及び任意の回転位置で固定する機構として設けられている。
【００２１】
このような構成において、エレベータの乗りかご内天井照明装置は図３に示すように、天板３に一対の天井側ブラケット８が対向して固定され、各天井側ブラケット８にはソケット側ブラケット９が連結されている。この連結は、ソケット側ブラケット９のスタッド１６を天井側ブラケット８の保持穴１５に挿入することにより行われている。各ソケット側ブラケット９にはソケット１７が固定され、対向して位置するソケット１７間に直管蛍光灯型ＬＥＤランプ７が保持されている。保持穴１５に挿入されたスタッド１６には蝶ナット１８が螺合されている。スタッド１６に螺合された蝶ナット１８を締付けることにより、折曲片８ｂと折曲片９ｂとが圧接され、天井側ブラケット８に対してソケット側ブラ
ケット９が固定される。これにより、直管蛍光灯型ＬＥＤランプ７はその中心線回りの回転が規制され、直管蛍光灯型ＬＥＤランプ７から照射される光の方向が固定される。
【００２２】
直管蛍光灯型ＬＥＤランプ７から照射される光の方向を変える場合には、締付けられている蝶ナット１８を緩め、ソケット側ブラケット９をスタッド１６の中心線回りに回転可能とする。そして、ソケット側ブラケット９をスタッド１６の中心線回りに回転させると、ソケット側ブラケット９と共に直管蛍光灯型ＬＥＤランプ７がその中心線回りに回転し、直管蛍光灯型ＬＥＤランプ７の中心線回りの回転角度を変えることができる。この操作により、基板１２におけるＬＥＤ１１が配列された面の向きを、例えば、図４に示した下方向きから、図７に示した斜め下方向きに変えることができる。これにより、直管蛍光灯型ＬＥＤランプ７から照射される光の方向を変えることができ、直管蛍光灯型ＬＥＤランプ７から照射される光を正確に照明板６の方向に向けることができ、適正な乗りかご内照明を行うことができる。直管蛍光灯型ＬＥＤランプ７をその中心線回りに任意の位置に回転させた後は、蝶ナット１８を締付けて直管蛍光灯型ＬＥＤランプ７の中心線回りの回転を規制する。
【００２３】
ここで、直管蛍光灯型ＬＥＤランプ７の中心線回りの回転角度を変える操作は、締付けられている蝶ナット１８を緩め、直管蛍光灯型ＬＥＤランプ７をソケット側ブラケット９と共にスタッド１６の中心線回りに回転させ、回転操作後に蝶ナット１８を締付けることにより、簡単に短時間で行える。
【００２４】
また、直管蛍光灯型ＬＥＤランプ７を保持するために使用する部品である天井側ブラケット８とソケット側ブラケット９とに関しては１種類ずつ準備すればよく、その天井側ブラケット８とソケット側ブラケット９とを形式が異なる様々な乗りかご１で使用することができる。したがって、直管蛍光灯型ＬＥＤランプ７を乗りかご１内の天板３に取付けるために必要となる部品の種類を少なくすることができ、エレベータ全体としての製造コストを抑えることができる。
【００２５】
（第２の実施形態）
本発明の第２の実施形態を図８ないし図１０に基づいて説明する。なお、本実施形態及び以下に説明する他の実施形態において、先行して説明した実施形態の構成要素と同じ構成要素には同じ符号を付け、重複する説明は省略する。
【００２６】
第２の実施形態の基本的な構成は、第１の実施形態と同じである。第２の実施形態が第１の実施形態と異なる点は、ソケット１７間に保持された直管蛍光灯型ＬＥＤランプ７をその中心線回りに回転させ及び任意の回転位置で固定する機構の構成である。この機構は図８に示すように、ソケット側ブラケット９に設けられた保持軸である丸棒状のピン２１と、一方のソケット側ブラケット９に形成された第１固定穴２２と、天井側ブラケット８に形成された保持穴２３と、一方の天井側ブラケット８に形成された複数の第２固定穴２４と、連通された第１固定穴２２と第２固定穴２４とに挿入されてソケット側ブラケット９を天井側ブラケット８に対して固定する締結体であるネジ２５とにより構成されている。
【００２７】
ピン２１は図１０に示すように、ソケット側ブラケット９の折曲片９ｂに固定され、ソケット１７間に保持された直管蛍光灯型ＬＥＤランプ７の中心線の延長線上に位置している。
【００２８】
第１固定穴２２は図１０に示すように、一方のソケット側ブラケット９の折曲片９ｂに、ピン２１の中心線上から所定寸法“ｈ”離間して形成されている。
【００２９】
保持穴２３は、天井側ブラケット８の折曲片８ｂに形成され、ピン２１がその中心線回りに回転可能に挿入される。
【００３０】
複数の第２固定穴２４は図９に示すように、一方の天井側ブラケット８の折曲片８ｂに、保持穴２３の中心から所定寸法“ｈ”離間した１つの円周上に位置して形成され、ソケット側ブラケット９を保持穴２３に挿入されたピン２１を中心として回転させることにより、第１固定穴２２と選択的に連通される。即ち、第１固定穴２２が形成されたソケット側ブラケット９と第２固定穴２４が形成された天井側ブラケット８とは同じ側に位置して連結されたものであり、ピン２１の中心線から第１固定穴２２までの所定寸法“ｈ”と、保持穴２３の中心から第２固定穴２４までの所定寸法“ｈ”とが同じ寸法である。
【００３１】
ネジ２５は、連通されて位置する第１固定穴２２と第２固定穴２４とに挿入可能であり、連通された第１固定穴２２と第２固定穴２４とに挿入されたネジ２５の先端にナット２６が螺合されている。
【００３２】
このような構成において、エレベータの乗りかご内天井照明装置は図８示すように、ソケット側ブラケット９のピン２１が天井側ブラケット８の保持穴２３に挿入され、ソケット側ブラケット９の第１固定穴２２とこの第１固定穴２２に連通された天井側ブラケット８の第２固定穴２４とにネジ２５が挿入され、ネジ２５の先端にナット２６が螺合されている。これにより、天井側ブラケット８に対してソケット側ブラケット９が固定され、直管蛍光灯型ＬＥＤランプ７はその中心線回りの回転が規制され、直管蛍光灯型ＬＥＤランプ７から照射される光の方向が固定されている。
【００３３】
直管蛍光灯型ＬＥＤランプ７から照射される光の方向を変える場合には、ネジ２５を外し、ソケット側ブラケット９をピン２１の中心線回りに回転可能とする。そして、ソケット側ブラケット９をピン２１の中心線回りに回転させると、ソケット側ブラケット９と共に直管蛍光灯型ＬＥＤランプ７がその中心線回りに回転し、直管蛍光灯型ＬＥＤランプ７の中心線回りの回転角度を変えることができる。これにより、直管蛍光灯型ＬＥＤランプ７から照射される光の方向を変えることができ、直管蛍光灯型ＬＥＤランプ７から照射される光を正確に照明板６の方向に向けることができ、適正な乗りかご内照明を行うことができる。直管蛍光灯型ＬＥＤランプ７をその中心線回りに任意の位置に回転させた後は、連通する第１固定穴２２と第２固定穴２４とにネジ２５を挿入し、直管蛍光灯型ＬＥＤランプ７の中心線回りの回転を規制する。
【００３４】
ここで、直管蛍光灯型ＬＥＤランプ７の中心線回りの回転角度を変える操作は、第１固定穴２２と第２固定穴２４とに挿入されているネジ２５を外し、直管蛍光灯型ＬＥＤランプ７をソケット側ブラケット９と共にピン２１の中心線回りに回転させ、回転操作後に連通する第１固定穴２２と第２固定穴２４とにネジ２５を挿入することにより、簡単に短時間で行える。
【００３５】
なお、本実施形態では、第１固定穴２２を一方のソケット側ブラケット９に形成し、第２固定穴２４を一方の天井側ブラケット８に形成した場合を例に挙げて説明したが、一対のソケット側ブラケット９の双方に第１固定穴２２を形成するとともに一対の天井側ブラケット８の双方に第２固定穴２４を形成し、天井側ブラケット８へのソケット側ブラケット９の固定を直管蛍光灯型ＬＥＤランプ７の両端側において行ってもよい。
【００３６】
（第３の実施形態）
本発明の第３の実施形態を図１１ないし図１３に基づいて説明する。第３の実施形態の基本的な構成は、第１の実施形態と同じである。第３の実施形態が第１の実施形態と異なる点は、ソケット１７間に保持された直管蛍光灯型ＬＥＤランプ７をその中心線回りに回
転させ及び任意の回転位置で固定する機構の構成である。この機構は図１１に示すように、ソケット側ブラケット９に設けられた保持軸である丸棒状のピン２１と、一方のソケット側ブラケット９に形成された突起３１と、天井側ブラケット８に形成された保持穴２３と、一方のソケット側ブラケット９に形成された複数の固定穴３２と、他方の天井側ブラケット８と他方のソケット側ブラケット９との間に設けられた付勢体であるコイルバネ３３とにより構成されている。
【００３７】
突起３１は図１３に示すように、一方のソケット側ブラケット９におけるピン２１の中心線上から所定寸法“ｈ”離間した位置にピン２１の突出方向と同じ方向に突出して形成されている。
【００３８】
複数の固定穴３２は図１２に示すように、一方の天井側ブラケット８における保持穴２３の中心から所定寸法“ｈ”離間した１つの円周上に位置して形成されている。保持穴２３に挿入されたピン２１を中心としてソケット側ブラケット９を回転させることにより、突起３１が固定穴３２に選択的に対向するとともに突起３１は固定穴３２に挿入可能である。即ち、突起３１が形成されたソケット側ブラケット９と固定穴３２が形成された天井側ブラケット８とは同じ側に位置して連結されたものであり、ピン２１の中心線から突起３１までの所定寸法“ｈ”と、保持穴２３の中心から固定穴３２までの所定寸法“ｈ”とが同じ寸法である。
【００３９】
コイルバネ３３は図１１に示すように、他方のソケット側ブラケット９の折曲片９ｂと他方の天井側ブラケット８の折曲片８ｂとの間に位置してピン２１の外周に設置されている。コイルバネ３３は、突起３１が対向して位置する固定穴３２に挿入される方向へソケット側ブラケット９と直管蛍光灯型ＬＥＤランプ７とを付勢している。
【００４０】
このような構成において、エレベータの乗りかご内天井照明装置は図１１示すように、ソケット側ブラケット９のピン２１が天井側ブラケット８の保持穴２３に挿入され、ソケット側ブラケット９の突起３１が天井側ブラケット８の固定穴３２に挿入されている。なお、固定穴３２への突起３１の挿入は、コイルバネ３３の付勢力により行われている。これにより、天井側ブラケット８に対してソケット側ブラケット９が固定され、直管蛍光灯型ＬＥＤランプ７はその中心線回りの回転が規制され、直管蛍光灯型ＬＥＤランプ７から照射される光の方向が固定されている。
【００４１】
直管蛍光灯型ＬＥＤランプ７から照射される光の方向を変える場合には、ソケット側ブラケット９と直管蛍光灯型ＬＥＤランプ７とを突起３１が固定穴３２から外れる方向へスライドさせ、ソケット側ブラケット９をピン２１の中心線回りに回転可能とする。そして、ソケット側ブラケット９をピン２１の中心線回りに回転させると、ソケット側ブラケット９と共に直管蛍光灯型ＬＥＤランプ７がその中心線回りに回転し、直管蛍光灯型ＬＥＤランプ７の中心線回りの回転角度を変えることができる。これにより、直管蛍光灯型ＬＥＤランプ７から照射される光の方向を変えることができ、直管蛍光灯型ＬＥＤランプ７から照射される光を正確に照明板６の方向に向けることができ、適正な乗りかご内照明を行うことができる。直管蛍光灯型ＬＥＤランプ７をその中心線回りに任意の位置に回転させた後は、直管蛍光灯型ＬＥＤランプ７から手を離すと、コイルバネ３３の付勢力により突起３１が対向する固定穴３２に挿入され、直管蛍光灯型ＬＥＤランプ７の中心線回りの回転が規制される。
【００４２】
ここで、直管蛍光灯型ＬＥＤランプ７の中心線回りの回転角度を変える操作は、突起３１が固定穴３２から外れる方向へ直管蛍光灯型ＬＥＤランプ７とソケット側ブラケット９とをスライドさせ、直管蛍光灯型ＬＥＤランプ７をソケット側ブラケット９と共にピン２
１の中心線回りに回転させることにより、簡単に短時間で行える。
【００４３】
（第４の実施形態）
本発明の第４の実施形態を図１４に基づいて説明する。第４の実施形態の基本的な構成は、第１の実施形態と同じである。第４の実施形態が第１の実施形態と異なる点は、ソケット１７間に保持された直管蛍光灯型ＬＥＤランプ７をその中心線回りに回転させ及び任意の回転位置で固定する機構の構成である。この機構は、ネジ棒４１と、雌ネジ部であるナット４２と、締結体である蝶ナット４３とにより構成されている。
【００４４】
ネジ棒４１は、ソケット側ブラケット９の一方の折曲片９ｂに固定され、ソケット１７間に保持された直管蛍光灯型ＬＥＤランプ７の中心線の延長線上に位置している。
【００４５】
ナット４２は、天井側ブラケット８の一方の折曲片８ｂに固定され、ネジ棒４１が螺合可能とされている。
【００４６】
蝶ナット４３は、ナット４２に螺合されたネジ棒４１に螺合されている。
【００４７】
このような構成において、エレベータの乗りかご内天井照明装置は、ソケット側ブラケット９のネジ棒４１が天井側ブラケット８のナット４２に螺合され、ナット４２に螺合されたネジ棒４１に蝶ナット４３が螺合されている。これにより、ネジ棒４１の中心線回りの回転が規制されるとともに天井側ブラケット８に対してソケット側ブラケット９が固定され、直管蛍光灯型ＬＥＤランプ７はその中心線回りの回転が規制され、直管蛍光灯型ＬＥＤランプ７から照射される光の方向が固定されている。
【００４８】
直管蛍光灯型ＬＥＤランプ７から照射される光の方向を変える場合には、締付けられている蝶ナット４３を緩め、ナット４２に螺合されているネジ棒４１をその中心線回りに回転可能とする。そして、ネジ棒４１をその中心線回りに回転させると、ソケット側ブラケット９と共に直管蛍光灯型ＬＥＤランプ７がその中心線回りに回転し、直管蛍光灯型ＬＥＤランプ７の中心線回りの回転角度を変えることができる。これにより、直管蛍光灯型ＬＥＤランプ７から照射される光の方向を変えることができ、直管蛍光灯型ＬＥＤランプ７から照射される光を正確に照明板６の方向に向けることができ、適正な乗りかご内照明を行うことができる。直管蛍光灯型ＬＥＤランプ７をその中心線回りに任意の位置に回転させた後は、蝶ナット４３を締付けて直管蛍光灯型ＬＥＤランプ７の中心線回りの回転を規制する。
【００４９】
ここで、直管蛍光灯型ＬＥＤランプ７の中心線回りの回転角度を変える操作は、締付けられている蝶ナット４３を緩め、直管蛍光灯型ＬＥＤランプ７をソケット側ブラケット９と共にネジ棒４１の中心線回りに回転させ、回転操作後に蝶ナット４３を締付けることにより、簡単に短時間で行える。
【００５０】
また、直管蛍光灯型ＬＥＤランプ７から照射される光の方向を変える場合において、蝶ナット４３を緩めて直管蛍光灯型ＬＥＤランプ７をその中心線回りに回転させた場合に、回転させた位置で直管蛍光灯型ＬＥＤランプ７やソケット側ブラケット９から手を離しても、ネジ棒４１とナット４２との螺合部分の摩擦により、直管蛍光灯型ＬＥＤランプ７の回転角度を維持することができる。このため、直管蛍光灯型ＬＥＤランプ７をその中心線回りに回転させてから蝶ナット４３を締付けるまのでの間に直管蛍光灯型ＬＥＤランプ７が回転して回転角度がずれるということが起こらず、直管蛍光灯型ＬＥＤランプ７から照射される光の方向を変える操作をより一層容易に行うことができる。
【００５１】
なお、本実施形態では、蝶ナット４３を片側のネジ棒４１にのみ螺合させた場合を例に
挙げて説明したが、蝶ナット４３は両側のネジ棒４１に螺合させてもよい。
【００５２】
（第５の実施形態）
本発明の第５の実施形態を図１５ないし図１７に基づいて説明する。第４の実施形態の基本的な構成は、第１の実施形態と同じである。第５の実施形態が第１の実施形態と異なる点は、一方の天井側ブラケット８に回転規制突起５１を設けた点である。回転規制突起５１は図１５に示すように、天井側ブラケット８に連結されているソケット側ブラケット９の方向に突出して設けられ、ソケット側ブラケット９のスタッド１６の中心線回りの回転角度が所定角度に達した場合にソケット側ブラケット９に当接される。
【００５３】
このような構成において、直管蛍光灯型ＬＥＤランプ７から照射される光の方向を変える場合には、締付けられている蝶ナット１８を緩め、ソケット側ブラケット９を直管蛍光灯型ＬＥＤランプ７と共にスタッド１６の中心線回りに回転させる。この場合において、ソケット側ブラケット９及び直管蛍光灯型ＬＥＤランプ７の回転角度が所定角度に達すると、図１７に示すように、ソケット側ブラケット９が回転規制突起５１に干渉し、それ以上の回転が規制される。
【００５４】
これにより、ソケット側ブラケット９や直管蛍光灯型ＬＥＤランプ７が必要以上に回転することを防止することができ、ソケット側ブラケット９が必要以上に回転することによりソケット１７から引き出されている配線ケーブル（図示せず）が捩じれることを防止することができる。
【符号の説明】
【００５５】
１      乗りかご
３      天板（天井部）
７      直管蛍光灯型ＬＥＤランプ
８      天井側ブラケット
９      ソケット側ブラケット
１０      筒体
１１      ＬＥＤ
１２      基板
１５      保持穴
１６      スタッド（保持軸）
１８      蝶ナット（締結体）
２１      ピン（保持軸）
２２      第１固定穴
２３      保持穴
２４      第２固定穴
３１      突起
３２      固定穴
３３      コイルバネ（付勢体）
４１      ネジ棒
４２      ナット（雌ネジ部）
４３      蝶ナット（締結体）
５１      回転規制突起
【図１】
2012131594.tif 000003
【図２】
2012131594.tif 000004
【図３】
2012131594.tif 000005
【図４】
2012131594.tif 000006
【図５】
2012131594.tif 000007
【図６】
2012131594.tif 000008
【図７】
2012131594.tif 000009
【図８】
2012131594.tif 000010
【図９】
2012131594.tif 000011
【図１０】
2012131594.tif 000012
【図１１】
2012131594.tif 000013
【図１２】
2012131594.tif 000014
【図１３】
2012131594.tif 000015
【図１４】
2012131594.tif 000016
【図１５】
2012131594.tif 000017
【図１６】
2012131594.tif 000018
【図１７】
2012131594.tif 000019